(57)【特許請求の範囲】
【請求項１】
合成樹脂シートから形成した内容器の外側面及び底面を、紙製の外容器及び底板によって包み込んで形成した複合容器であって、
前記内容器は、その下部に、積み重ねたときの嵌まり込みを防止するための段部を形成したものであり、
前記底板は、これによって前記内容器の底面を包み込んだとき、外方に突出することになる糸尻心材部を、その周縁に一体的に形成したものであり、
かつ、前記外容器は、その側端縁にて糊付けすることにより筒状のものとされるものであって、その上端縁が前記内容器側のフランジ下面に当接するとともに、前記底板の糸尻心材部を外側から包み込むことにより、糸尻を形成することになる折り込み部を有したものであり、
さらに、前記折り込み部は、引き剥がしのためのとっかかりとなる接着剤を介さないで重なる部分を有したものであることを特徴とする複合カップ容器。
【請求項２】
前記底板は、前記内容器の底面の一部のみに接着されていることを特徴とする請求項１に記載の複合カップ容器。
【発明の詳細な説明】
【０００１】
【発明の属する技術分野】
本発明は、合成樹脂製の内容器を、紙製の外容器により包み込んで形成した複合カップ容器に関するものである。
【０００２】
【従来の技術】
所謂「カップ容器」は、飲料水や、熱湯を注いで食するラーメン等を入れる容器として知られているが、一般的には、合成樹脂材料または紙材料単独で形成されているものである。このような、単独材料によって形成したカップ容器は、断熱性に問題があり、手で持ったときに熱かったり冷たかったりと、熱刺激のあるものとなっていた。
【０００３】
このため、例えば、特開平６−２２７５３８号公報にて、フィラー入りの樹脂の成形品からなるカップ状の容器本体と、板紙からなる外筒と、底メンコとにより構成した断熱容器が提案されている。このようなカップ容器であれば、板紙からなる外筒容器自体による断熱がなされて、内容物の保温と手に持ったときの刺激除去とを行うことができた。
【０００４】
ところが、上記の特開平６−２２７５３８号公報にて提案されている断熱容器は、もともと合成樹脂をできるだけ少なくして、これを焼却したときの熱の排出量をできるだけ少なくすることも目的としてなされたものであり、これを構成していた材料のリサイクルを行うことは全く考慮されていないものであった。
【０００５】
リサイクルを考慮した場合、構成していた材料を種類毎に分別できることが好ましい。一般に、製品を構成していた材料をリサイクルするには、その製品を一旦ある程度の大きさのものに粉砕し、この粉砕したものを分別することが行われる。この場合に、異種の材料同士が一体的になっていると、その分別が行えなくなることは当然である。
【０００６】
つまり、合成樹脂と紙とからなる複合カップ容器について考察してみると、合成樹脂と紙とが簡単に分離できるようにしておくことが必要であるが、上記特開平６−２２７５３８号公報にて提案されている容器では、紙の裏面に積層した樹脂層を熱風によって溶融させ、これによって樹脂製の容器本体と一体化する手段も採用されており、この場合には、リサイクルが行えないことになる。
【０００７】
特に、合成樹脂部分と紙部分とを接着してしまう場合があると、両者間の断熱のための空気層を完全に無くしてしまうことを意味するから、接着部分は、なるべく無くした方がいいことは言うまでもない。
【０００８】
また、この種のカップ容器では、その底に所謂「糸尻」を形成して、手やテーブルに対する接触面積を少なくしておく必要があるものである。何故なら、底を手で持った場合に熱による刺激がなく、しかもテーブル上に置いた時に、余りテーブルを汚さないようにするためである。
【０００９】
そこで、本発明者は、紙による断熱性が高く、しかもリサイクルの容易な糸尻を有する複合カップ容器とするにはどうしたらよいか、について種々検討を重ねてきた結果、本発明を完成したのである。
【００１０】
【発明が解決しようとする課題】
本発明は、以上の経緯に基づいてなされたもので、その解決しようとする課題は、断熱効果が高く、リサイクルが十分可能な複合カップ容器を、簡単な構成によって提供することにある。
【００１１】
【課題を解決するための手段】
以上の課題を解決するために、本発明の採った手段は、後述する実施の形態の説明中で使用する符号を付して説明すると、
「合成樹脂シートから成形した内容器１１の外側面及び底面を、紙製の外容器１２及び底板１３によって包み込んで形成した複合容器１０であって、
内容器１１は、その下部に、積み重ねたときの嵌まり込みを防止するための段部１１ａを形成したものであり、
底板１３は、これによって内容器１１の底面を包み込んだとき、外方に突出することになる糸尻心材部１３ａを、その周縁に一体的に形成したものであり、
かつ、外容器１２は、その側端縁１２ｂにて糊付けすることにより筒状のものとされるものであって、その上端縁が内容器１１側のフランジ１１ｂ下面に当接するとともに、底板１３の糸尻心材部１３ａを外側から包み込むことにより、糸尻１４を形成することになる折り込み部１２ａを有したものであり、
さらに、折り込み部１２ａは、引き剥がしのためのとっかかりとなる接着剤を介さないで重なる部分１２ｄを有したものであることを特徴とする複合カップ容器１０」
である。
【００１２】
すなわち、本発明に係る複合カップ容器１０は、合成樹脂製の内容器１１と、紙製の外容器１２及び底板１３からなるものであるが、これらの紙製部分と合成樹脂製部分とは、接着剤や溶融樹脂によって一体化されてはいないものである。このため、この複合カップ容器１０は、その使用後に、リサイクルのための粉砕を行ったとき、合成樹脂部分と紙部分とは完全に分離され、分別回収することができるものである。
【００１３】
特に、この複合カップ容器１０では、内容器１１と外容器１２とは殆ど接着されていないから、その間に僅かではあるが空気層が存在している。この空気層の存在によって、当該複合カップ容器１０の断熱効果は、紙が有しているそれと相まって、従来のものに比して高いものとなっているのである。
【００１４】
勿論、当該複合カップ容器１０全体の剛性は、内容器１１の外側を紙製の外容器１２及び底板１３によって包み込んだものであるから、十分なものとなっている。この包み込みは、底板１３の糸尻心材１３ａを、外容器１２の下縁に形成してある折り込み部１２ａを折り込んで行ったものであり、接着剤を使用しないで行ったものである。この折り込み部１２ａの折り込み状態は、特に図１に示すように、底板１３の糸尻心材１３ａを中心にして強制的になされているものであるから、十分な耐久性及び剛性を有したものとなっているのである。
【００１５】
また、この複合カップ容器１０は、図１中の仮想線にて示すように、その多数を保管したり自動販売機に掛けたりする場合に、互いに積み重ねられるものであるが、内容器１１の下部にそれより上の部分より小径となる段部１１ａが形成してあるから、この段部１１ａによって上側の複合カップ容器１０が、下側の複合カップ容器１０の内容器１１内に嵌合してしまうことがない。勿論、完成後の複合カップ容器１０においては、外容器１２の上端縁が、内容器１１側のフランジ１１ｂ下面に当接しているから、位置ずれすることはない。また、図３に示したように、外容器１２及びその折り込み部１２ａが、接着剤を介さないで重なっている部分１２ｄがあるため、ここを外容器１２の引き剥がしのための「とっかかり」とすることもできるものである。
【００１６】
従って、この複合カップ容器１０は、その内容器１１と外容器１２とは殆ど接着していないから空気層の存在、及び外容器１２の材料である紙自身の物性に基づく断熱効果が高く、粉砕したときに合成樹脂材料と紙材料とが完全に分離されるものとなっていることにより、リサイクルを効果的に行うことができるものとなっているのである。
【００１７】
また、上記課題を解決するために、請求項２の発明の採った手段は、上記請求項１に係る複合カップ容器１０について、
「底板１３は、内容器１１の底面の一部のみに接着されていること」
を特徴とするものである。
【００１８】
この場合の接着は、所謂「スポット接着」であり、底板１３または内容器１１の底面に接着剤をスポット的に付着させ、このスポット接着剤を利用して部分的な接着を行うものである。
【００１９】
このようにしているのは、合成樹脂シートからなる内容器１１と、紙からなる底板１３との分別を容易にするためであることは勿論、当該複合カップ容器１０の製造を容易にするためである。すなわち、底板１３によって内容器１１の底面を包み込んで、さらに外容器１２によって全体を包み込む場合に、底板１３が内容器１１の底面に対して固定されていた方が容器形成作業を効率的に行えるからである。勿論、この場合の、底板１３と内容器１１の底面との接着は「スポット的」であるから、リサイクルのための分別をする場合に、それ程問題となることはない。
【００２０】
従って、この請求項２に係る複合カップ容器１０では、上記請求項１のそれと同様な機能を発揮するだけでなく、製造をより一層簡単に行うことができるものとなっているのである。
【００２１】
【発明の実施の形態】
次に、上記のように構成した本発明を、図面に示した実施の形態である複合カップ容器１０に基づいて説明すると、図１には、当該複合カップ容器１０の縦断面図が示してある。この複合カップ容器１０は、内容器１１の外側面及び底面を外容器１２及び底板１３によって包み込んで形成したものである。
【００２２】
この複合容器１０の内容器１１は、ポリスチレンを代表とする合成樹脂シートから、真空成形または圧空成形して形成したものであり、その下部に、積み重ねたときの嵌まり込みを防止するための段部１１ａを形成し、その上端開口周辺に、剛性を確保するためのフランジ１１ｂを形成したものである。なお、この内容器１１は、これを透明または半透明の合成樹脂によって形成することにより、次に述べる外容器１２の内側に印刷してある文字等が、当該複合カップ容器１０を口に持って行くとき等に読めるようにしてある。
【００２３】
外容器１２は、板紙を所定形状に打ち抜いて形成したものであり、図２に示したように、下端縁となる部分を折り込み部１２ａとし、一方の側端縁１２ｂのみを糊付部としたものである。勿論、この外容器１２は紙製のものであるから、その表面には、内容物の説明等の印刷が施されるものであるが、上述したように、内容器１１が透明または半透明の場合には、裏面にも所定の印刷がなされるものである。
【００２４】
なお、この外容器１２の側端縁１２ｂに形成した糊付部は、そのフランジ１１ｂ側端部にて、図１の点線にて示したように、部分的に糊付けしない非接着部１２ｃとしてある。この非接着部１２ｃは、これを外容器１２の引き剥がしのための「取っかかり」とするためである。つまり、この複合カップ容器１０のリサイクルを行う場合、上述した粉砕の他に、図１に示したように、紙製の外容器１２のみを内容器１１から剥がすことがあるが、この場合の作業を行い易くするのがこの「取っかかり」である非接着部１２ｃなのである。
【００２５】
底板１３は、板紙を円板状に打ち抜いて形成したものであり、その周縁に、図２に示したように、内容器１１の底面を当接させて、これに対する折り込み部１２ａによる一体化を行うとき、外方に突出することになる糸尻心材部１３ａを一体的に形成したものである。この糸尻心材１３ａは、図１に示したように、結果的に糸尻１４を構成することになるものであるが、紙製円板の外周部分を、他に対して直角に折り曲げることにより形成したものである。尚、この底板の糸尻心材は、外容器と糊部を形成することなく、押し圧によって固定している。よって、外容器を内容器から分離するときには、折り込み部と糸尻心材部は、簡単で完全に分離することになる。
【００２６】
さて、以上のような材料によって複合カップ容器１０とするには、複合カップ容器１０の内側形状の外形を有するプラグに、内容器１１を嵌合し、その底面に底板１３をあてがう。このとき、請求項２に係る複合カップ容器１０のように、当該底板１３は、これまたは内容器１１の一部に接着剤をスポット塗布しておくことにより、内容器１１の底面の一部のみに接着されるものである。
【００２７】
次いで、この内容器１１の外側に、側端縁１２ｂに糊付けした外容器１２を巻き付けて、この外容器１２を筒状のものとする。そして、この外容器１２の折り込み部１２ａを、底板１３側の糸尻心材１３ａを外側から包み込むようにして折り込むことにより、外容器１２と底板１３との一体化を行うとともに、これら折り込み部１２ａ及び糸尻心材１３ａによって、図１に示したように、糸尻１４を形成するのである。
【００２８】
勿論、完成後の複合カップ容器１０においては、外容器１２の上端縁が、内容器１１側のフランジ１１ｂ下面に当接しているから、位置ずれすることはない。また、図３に示したように、外容器１２及びその折り込み部１２ａが、接着剤を介さないで重なっている部分１２ｄがあるため、ここを外容器１２の引き剥がしのための「とっかかり」とすることもできるものである。
【００２９】
【発明の効果】
以上、詳述した通り、本発明においては、上記実施形態にて例示した如く、
「合成樹脂シートから成形した内容器１１の外側面及び底面を、紙製の外容器１２及び底板１３によって包み込んで形成した複合容器１０であって、
内容器１１は、その下部に、積み重ねたときの嵌まり込みを防止するための段部１１ａを形成したものであり、
底板１３は、これによって内容器１１の底面を包み込んだとき、外方に突出することになる糸尻心材部１３ａを、その周縁に一体的に形成したものであり、
かつ、外容器１２は、その側端縁１２ｂにて糊付けすることにより筒状のものとされるものであって、その上端縁が内容器１１側のフランジ１１ｂ下面に当接するとともに、底板１３の糸尻心材部１３ａを外側から包み込むことにより、糸尻１４を形成することになる折り込み部１２ａを有したものであり、
さらに、折り込み部１２ａは、引き剥がしのためのとっかかりとなる接着剤を介さないで重なる部分１２ｄを有したものであること」
にその構成上の特徴があり、互いに殆ど接着されていない内容器１１と外容器との間に空気層を存在させることができて断熱効果が高いものとすることができ、粉砕時には、合成樹脂材料と紙材料とを完全に分離することができてリサイクルが十分可能な複合カップ容器１０を、簡単な構成によって提供することができるのである。
【００３０】
また、請求項２の複合カップ容器１０によれば、その底板１３が内容器１１の底面の一部のみに接着されたものとしたことにその構成上の特徴があり、これにより、請求項１の複合カップ容器１０と同様な効果を発揮することができる他、製造をより一層容易に行うことができるのである。
【図面の簡単な説明】
【図１】本発明に係る複合カップ容器の縦断面図である。
【図２】同複合カップ容器の分解斜視図である。
【図３】図１中の１−１線に沿ってみた拡大横断面図である。
【符号の説明】
１０  複合カップ容器
１１  内容器
１１ａ  段部
１１ｂ  フランジ
１２  外容器
１２ａ  折り込み部
１２ｂ  側端縁
１２ｃ  非接着部
１２ｄ  接着剤を介さないで重なる部分
１３  底板
１３ａ  糸尻心材
１４  糸尻
【図１】
0003811752.tif 000002
【図２】
0003811752.tif 000003
【図３】
0003811752.tif 000004